(57)【要約】【課題】  パワーツールのためのコードプロテクタを提供することである。【解決手段】  パワーツールは、ハウジングと、ハウジングに配置されたモーターと、モーターに接続されたパワーコードと、その動きに伴い操作可能にパワーコードに係合しているコードプロテクタとを有している。コードプロテクタは、パワーコードに係合しており、および、パワーコードに加えられている負荷に対してパワーコードにバイアス力を及ぼしており、および、負荷の除去に対して初期位置に戻る少なくとも１つの弾性的に変形可能なバイアス部材を具備することができる。【選択図】
2011527081.tif 000002
【特許請求の範囲】
【請求項１】
ハウジングを有しているツール本体と；
前記ハウジングに配置されたモーターと；
前記モーターに接続されたパワーコードと；
前記パワーコードに操作可能に係合しているコードプロテクタとを具備し、
前記コードプロテクタは、前記パワーコードに係合し、前記パワーコードに加えられる負荷に対して前記パワーコードにバイアス力を及ぼす少なくとも１つの弾性的に変形可能なバイアス部材を備えており、
前記バイアス部材は、前記負荷の除去に対して初期位置に戻る、パワーツール。
【請求項２】
前記コードプロテクタは、前記ハウジングから延びている複数のバイアス部材を備え、
前記複数のバイアス部材は、初期位置と偏る位置との間で偏向可能である、請求項１に記載のパワーツール。
【請求項３】
前記複数のバイアス部材は、前記パワーコードの軸に沿ってオフセットされ、
前記パワーコードは、蛇行パターンを規定するように前記複数のバイアス部材のまわりにルート設定されている、請求項２に記載のパワーツール。
【請求項４】
前記負荷が前記パワーコードに加えられるときに前記複数のバイアス部材が前記偏る位置に偏向されるように、前記パワーコードの一部を前記ハウジングに組み合わせるクランピング部材を更に具備する請求項３に記載のパワーツール。
【請求項５】
前記少なくとも１つのバイアス部材は、長形部材である、請求項１に記載のパワーツール。
【請求項６】
前記長形部材は、円筒状である、請求項５に記載のパワーツール。
【請求項７】
前記長形部材は、非均一である、請求項５に記載のパワーツール。
【請求項８】
前記少なくとも１つのバイアス部材は、伸張スプリングであり、
前記伸張スプリングは、前記ハウジングに一端が組み合わせられていて、および、反対の端部が前記パワーコードに係合している、請求項１に記載のパワーツール。
【請求項９】
前記パワーコードに固定的に組み合わせられた係合プレートを更に具備し、
前記係合プレートは、前記少なくとも１つのバイアス部材に係合している、請求項１に記載のパワーツール。
【請求項１０】
前記コードプロテクタは、前記ハウジングから延びている複数のバイアス部材を備え、
前記複数のバイアス部材は、前記パワーコードの軸を中心に半径方向に配置されている、請求項９に記載のパワーツール。
【請求項１１】
前記係合プレートは、前記負荷に対して、連続して前記複数のバイアス部材のうちの少なくとも２つに係合する、請求項１０に記載のパワーツール。
【請求項１２】
前記係合プレートは、前記負荷に対して、同時に前記複数のバイアス部材のうちの少なくとも２つに係合する、請求項１０に記載のパワーツール。
【請求項１３】
前記コードプロテクタは、前記ハウジングから延びている複数のバイアス部材を備え、
前記複数のバイアス部材は、初期位置と偏る位置との間の内側に半径方向に偏向可能である、請求項１に記載のパワーツール。
【請求項１４】
前記パワーコードは、前記複数のバイアス部材を中心に円形に配置されている、請求項１３に記載のパワーツール。
【請求項１５】
前記バイアス部材は、前記パワーコードと前記ハウジングとの間に配置されている球状の部材である、請求項１に記載のパワーツール。
【請求項１６】
前記少なくとも１つのバイアス部材は、板ばねであり、
前記板ばねは、前記ハウジングに反対の端部にて摺動可能に組み合わせられている、請求項１に記載のパワーツール。
【請求項１７】
前記少なくとも１つのバイアス部材は、ねじりスプリングであり、
前記ねじりスプリングは、前記ハウジングに一端にて固定的に組み合わせられている、請求項１に記載のパワーツール。
【請求項１８】
前記パワーコードおよび前記バイアス部材を操作可能に組み合わせるつなぎ綱を更に具備する請求項１に記載のパワーツール。
【請求項１９】
前記バイアス部材は、ピストンデバイスであり、
前記ピストンデバイスは、ピストン部材およびピストンチャンバを備え、
前記ピストン部材は、固定的に前記パワーコードに組み合わせられ、および、圧縮可能な圧力ボリュームを規定するように摺動可能に前記ピストンチャンバに配置されており、
前記圧縮可能な圧力ボリュームは、前記負荷に対して対抗するバイアス力を出力する、請求項１に記載のパワーツール。
【請求項２０】
前記ピストン部材および前記ピストンチャンバのうちの少なくとも１つを介して延びているオリフィスチャネルを更に具備し、
前記オリフィスチャネルは、前記圧縮可能な圧力ボリュームを雰囲気と流動的に組み合わせている、請求項１９に記載のパワーツール。
【請求項２１】
ハウジングを有しているツール本体と；
前記ハウジングに配置されたモーターと；
前記モーターに接続されたパワーコードと；
前記パワーコードに操作可能に係合しているコードプロテクタとを具備し、
前記コードプロテクタは、第1の端部で前記ハウジングに組み合わせられ、および、第２の端部で前記パワーコードに係合されているスプリングレバー部材を備えており、
前記スプリングレバーは、前記パワーコードに加えられる負荷に対して前記パワーコードにバイアス力を及ぼしており、かつ、
前記スプリングレバーは、前記負荷の除去に対して初期位置に戻る、パワーツール。
【請求項２２】
前記パワーコードに前記スプリングレバーの前記第２の端部を固定的に組み合わせるコードクランプを更に具備する請求項２１に記載のパワーツール。
【請求項２３】
前記コードクランプは、一対のクランピング部材を具備し、
前記一対のクランピング部材の各々は、前記スプリングレバーに係合する第1のスロットと、前記パワーコードに係合する第２のスロットとを有している、請求項２２に記載のパワーツール。
【請求項２４】
前記スプリングレバーと前記ハウジングとの間に配置されるスプリング部材を更に具備し、
前記スプリング部材は、前記パワーコードおよび前記スプリングレバーのうちの少なくとも１つにバイアス力を及ぼす、請求項２１に記載のパワーツール。
【請求項２５】
前記スプリング部材は、前記パワーコードと同軸である、請求項２４に記載のパワーツール。
【請求項２６】
前記スプリングレバーは、熱ステーキングを介して前記第１の端部で前記ハウジングに組み合わされている、請求項２１に記載のパワーツール。
【請求項２７】
前記スプリングレバーは、前記第１の端部で前記ハウジングに枢軸的に組み合わせられ、
前記初期位置へと前記スプリングレバーにバイアスを掛けているねじりスプリングを更に具備する請求項２１に記載のパワーツール。
【請求項２８】
前記コードプロテクタに固定的に組み合わせられるベルマウス部材を更に具備し、
前記ベルマウス部材は、ベル形状にされた部分を有しており、かつ、前記パワーコードを通して受けるように形成されている、請求項２１に記載のパワーツール。
【請求項２９】
前記スプリングレバーは、不均一なバイアス力を提供する、請求項２１に記載のパワーツール。
【請求項３０】
ハウジングを有しているツール本体と；
前記ハウジングに配置されたモーターと；
前記モーターに接続されたパワーコードと；
前記パワーコードに操作可能に係合しているコードプロテクタとを具備し、
前記コードプロテクタは、第1の端部で前記ハウジングに係合し、および、第２の端部で前記パワーコードに係合しているスプリング部材を備え、
前記スプリング部材は、前記パワーコードに加えられる負荷に対して前記パワーコードにバイアス力を及ぼしており、かつ、
前記スプリング部材は、前記負荷の除去に対して初期位置に戻る、パワーツール。
【請求項３１】
前記スプリング部材の前記第２の端部および前記パワーコードを係合しているコードクランプを更に具備する請求項３０に記載のパワーツール。
【請求項３２】
前記スプリング部材は、前記パワーコードと同軸である、請求項３０に記載のパワーツール。
【請求項３３】
前記コードプロテクタに固定的に組み合わせられるベルマウス部材を更に具備し、
前記ベルマウス部材は、ベル形状にされた部分を有しており、かつ、前記パワーコードを通して受けるように形成されている、請求項３０に記載のパワーツール。
【請求項３４】
前記スプリング部材は、不均一なバイアス力を提供する、請求項３０に記載のパワーツール。
【請求項３５】
ハウジングを有しているツール本体と；
前記ハウジングに配置されたモーターと；
前記モーターに接続されたパワーコードと；
前記パワーコードに、動きに伴って操作可能に組み合わせられるコードプロテクタとを具備し、
前記コードプロテクタは、カムスロットを有しているカムフォロワーブラケットを備え、
前記カムスロットは、カムフォロワを受けるように寸法決めされており、
前記カムフォロワーブラケットは、初期位置へとバイアスを掛けられており、および、前記パワーコードに加えられている負荷に対して前記パワーコードにバイアス力を及ぼしている、パワーツール。
【請求項３６】
前記コードプロテクタは、前記カムフォロワーブラケットに固定的に組み合わせられるコードクランプブラケットを更に備え、
前記コードクランプブラケットおよび前記カムフォロワーブラケットは、共に、前記パワーコードをクランプして係合し、および、保持している、請求項３５に記載のパワーツール。
【請求項３７】
前記カムフォロワは、前記カミングスロットを介して摺動可能に延び、および、前記ハウジングに螺合して係合する固定具を備えている、請求項３５に記載のパワーツール。
【請求項３８】
前記初期位置に前記カムフォロワーブラケットをバイアスしているバイアス部材を更に具備し、
前記バイアス部材は、前記負荷の除去に対して前記初期位置に戻る、請求項３５に記載のパワーツール。
【請求項３９】
前記バイアス部材は、前記ハウジングと前記カムフォロワーブラケットとの間に配置される、請求項３８に記載のパワーツール。
【請求項４０】
前記バイアス部材は、前記ハウジングと前記カムフォロワーブラケットに形成されたスプリング壁との間に配置される、請求項３８に係るパワーツール。
【請求項４１】
前記バイアス部材は、前記パワーコードと同軸的に配置される、請求項３８に記載のパワーツール。
【請求項４２】
ハウジングを有しているツール本体と；
前記ハウジングに配置されたモーターと；
前記モーターに接続されたパワーコードと；
チャンバの中で摺動可能に配置されるプランジヤ部材を備えているコードプロテクタとを具備し、
前記プランジヤ部材は、前記パワーコードに固定的に組み合わせられ、
前記チャンバは、中に配置され、通常、前記チャンバに対して前記プランジヤ部材の動きに対して圧縮可能なバイアス媒体を有しており、
前記バイアス媒体は、前記パワーコードに加えられている負荷に対して前記パワーコードにバイアス力を及ぼしている、パワーツール。
【請求項４３】
前記バイアス媒体は、複数のエラストマー性部材を備えている、請求項４２に記載のパワーツール。
【請求項４４】
前記複数のエラストマー性部材は、不均一である、請求項４３に記載のパワーツール。
【請求項４５】
前記バイアス媒体は、初期位置の前記チャンバの中で自由に移動可能であり、および、偏る位置の前記チャンバの中で一般に抑制される、請求項４２に記載のパワーツール。
【請求項４６】
ハウジングを有しているツール本体と；
前記ハウジングに配置されたモーターと；
前記モーターに接続されたパワーコードと；
チャンバの中で摺動可能に配置されるプランジヤ部材を具備しているコードプロテクタとを具備し、
前記プランジヤ部材は、前記パワーコードに固定的に組み合わせられており、
前記チャンバに対して前記プランジヤ部材の動きに応答して前記プランジヤ部材にバイアス力を提供するように前記プランジヤ部材および前記ハウジングを操作可能に組み合わせるスプリングコイル部材を更に具備し、
前記バイアス力は、前記パワーコードに加えられている負荷に対抗している、パワーツール。
【請求項４７】
ハウジングを有しているツール本体と；
前記ハウジングに配置されたモーターと；
前記モーターに接続されたパワーコードと；
チャンバの中で摺動可能に配置されるプランジヤ部材を具備しているコードプロテクタと；
前記ハウジングに一端で固定的に組み合わせられるスプリングカムレバーとを具備し、
前記プランジヤ部材は、そこから延びているカム形態を有しており、
前記カム形態は、前記チャンバに対して前記プランジヤ部材の動きに対して前記プランジヤ部材に増加のバイアス力を提供するように前記スプリングカムレバーに係合し、および、次第に偏らせており、
前記バイアス力は、前記パワーコードに加えられている負荷に対抗している、パワーツール。
【請求項４８】
ハウジングを有しているツール本体と；
前記ハウジングに配置されたモーターと；
前記モーターに接続されたパワーコードとを具備し、
前記パワーコードは、ブレーカウェイの部分を有しており、
前記ブレーカウェイの部分は、解放可能に組み合わせられ、リテーニング力を規定している第1のハーフおよび第２のハーフを有しており、
前記ブレーカウェイの部分は、前記リテーニング力より大きな負荷に対して分離可能であり、
前記リテーニング力は、前記パワーコードにダメージを与える周知の負荷未満である、パワーツール。
【請求項４９】
前記パワーコードの前記第1のハーフおよび前記第２のハーフを固定的に組み合わせるつなぎ綱部材を更に具備し、
前記つなぎ綱部材は、前記ブレーカウェイの部分の分離後に、前記第1のハーフおよび前記第２のハーフを保持している、請求項４８に記載のパワーツール。
【請求項５０】
前記つなぎ綱部材は、ハーフ前記第1のハーフおよび前記第２のハーフを保持しているつなぎ綱の力を規定し、
前記つなぎ綱の力は、前記リテーニング力より大きい、請求項４９に記載のパワーツール。
【発明の詳細な説明】
【技術分野】
【０００１】
この出願は、２００８年６月３０日に出願の米国特許出願番号第１２／１６４，５８４号、２００８年６月３０日に出願の米国特許出願番号第１２／１６４，６２１号、および、２００８年６月３０日に出願の米国特許出願番号第１２／１６４，６５０号に係るＰＣＴ国際出願である。そして、それぞれは、２００７年９月２５日に出願の米国特許出願番号第１１／８６０、９８９号の一部継続出願である。そして、それは２００６年１０月３０日に出願の米国仮出願番号第６０／８６３，４６７号の利点を請求するものである。その開示内容は参照としてここに組み入れられる。
【０００２】
本開示は、パワーツールのさまざまな改良に関するものであり、特にコードセット負荷プロテクタ（cord set load protector）に関するものである。
【背景技術】
【０００３】
この章の記載は、単に本開示に関連した背景情報を提供するものであり、先行技術を構成するものではない。
【０００４】
より重いポータブルパワーツール、例えばポータブルソーを有する共通分野の不良は、コードに加えられる衝撃負荷（impulse load）またはジャークする（ぐいと動かす：ｊｅｒｋ）ことによるツールからのパワーコードの分離である。パワーコードのプラグ端部が固定されていながらツールが落下するときに、または、ユーザがツールを運ぶときに、または、それをフロアからフロアに、またははしご（ladder）の下に下げるときに、パワーコードを持っていることによって、これは発生することがありえる。
【発明の概要】
【０００５】
パワーコードをジャーキング（ぐいと動かすこと：jerking）することによって課される強い力からパワーコード導体または接続を分離するために、本開示に係るパワーコードは、小さいサービスループまたはケーブルの追加の長さを伴って、コードクランプとコードプロテクタを固定するツールハウジングの部分との間で、ツールハウジングにインストールされる。圧着デバイス（crimp-on device）は、コード保護装置に続いてパワーコードケーブル上にインストールされる。コードがジャーキングにさらされるときに、ケーブルは、コードプロテクタ対して軸方向に動く。ケーブルが動くときに、圧着デバイスは、ハウジング内に配置されているコードセットの導線または接続に伝導されるエネルギを吸収し、力を減少するコードプロテクタの延長された端部を圧縮する。
【０００６】
適用可能性の更なる範囲は、ここで提供される明細書から明瞭になる。明細書および特定の実施例が説明の目的のみに予定にされており、本開示の範囲を限定することを予定するものではないことを理解すべきである。
【０００７】
ここで記載されている図面は、単に図示することを目的とするものであり、いかなる形であれ本開示の範囲を限定することを予定するものではない。
【図面の簡単な説明】
【０００８】
【図１】図１は、本開示の原理に係るツールハンガーを有する例示的なウォーム駆動ソー（worm drive saw）の斜視図である。
【図２】図２は、無負荷状態で、本開示の原理に係るコードセット負荷プロテクタを示している断面図である。
【図３】図３は、コードに加えられる負荷を有する図２と類似の図面である。
【図４】図４は、本開示の原理に係るコードセット負荷プロテクタによって利用される例示的なコードクランプの斜視図である。
【図５】図５は、第1のクランプハーフの斜視図である。
【図６】図６は、第２のクランプハーフの斜視図である。
【図７】図７は、説明の便宜上、いくつかの実施形態に係る部分的に取り除かれたハンドルを有するコードセット負荷プロテクタ設計の斜視図である。
【図８】図８は、蛇行パターンを有しているいくつかの実施形態に係るコードセット負荷プロテクタ設計の斜視図である。
【図９】図９は、初期位置の図８に係るコードセット負荷プロテクタ設計の正面の図面である。
【図１０】図１０は、偏る位置の図８に係るコードセット負荷プロテクタ設計の正面の図面である。
【図１１】図１１は、係合プレートを有しているいくつかの実施形態に係るコードセット負荷プロテクタ設計の斜視図である。
【図１２】図１２は、初期位置の図１１に係るコードセット負荷プロテクタ設計の正面の図面である。
【図１３】図１３は、偏る位置の図１１に係るコードセット負荷プロテクタ設計の正面の図面である。
【図１４】図１４は、係合プレートを有しているいくつかの実施形態に係る初期位置のコードセット負荷プロテクタ設計の正面の図面である。
【図１５】図１５は、偏る位置の図１４に係るコードセット負荷プロテクタ設計の正面の図面である。
【図１６】図１６は、内側に配置されたバイアス部材を有しているいくつかの実施形態に係るコードセット負荷プロテクタ設計の斜視図である。
【図１７】図１７は、初期位置の図１６に係るコードセット負荷プロテクタ設計の正面の図面である。
【図１８】図１８は、偏る位置の図１６に係るコードセット負荷プロテクタ設計の正面の図面である。
【図１９】図１９は、いくつかの実施形態に係る初期位置のコードセット負荷プロテクタ設計の正面の図面である。
【図２０】図２０は、偏る位置の図１９に係るコードセット負荷プロテクタ設計の正面の図面である。
【図２１】図２１は、いくつかの実施形態に係る初期位置のコードセット負荷プロテクタ設計の正面の図面である。
【図２２】図２２は、偏る位置の図２１に係るコードセット負荷プロテクタ設計の正面の図面である。
【図２３】図２３は、伸張スプリング（extension springs）を有しているいくつかの実施形態に係る初期位置のコードセット負荷プロテクタ設計の正面の図面である。
【図２４】図２４は、偏る位置の図２３に係るコードセット負荷プロテクタ設計の正面の図面である。
【図２５】図２５は、伸張スプリングを有しているいくつかの実施形態に係る初期位置のコードセット負荷プロテクタ設計の正面の図面である。
【図２６】図２６は、偏る位置の図２５に係るコードセット負荷プロテクタ設計の正面の図面である。
【図２７】図２７は、板ばねを有しているいくつかの実施形態に係る初期位置のコードセット負荷プロテクタ設計の正面の図面である。
【図２８】図２８は、偏る位置の図２７に係るコードセット負荷プロテクタ設計の正面の図面である。
【図２９】図２９は、ねじりスプリングを有しているいくつかの実施形態に係る初期位置のコードセット負荷プロテクタ設計の正面の図面である。
【図３０】図３０は、偏る位置の図２９に係るコードセット負荷プロテクタ設計の正面の図面である。
【図３１】図３１は、図２９のバイアス部材の拡大斜視図である。
【図３２】図３２は、つなぎ綱システム（tether system）を有しているいくつかの実施形態に係る初期位置のコードセット負荷プロテクタ設計の正面の図面である。
【図３３】図３３は、偏る位置の図３２に係るコードセット負荷プロテクタ設計の正面の図面である。
【図３４】図３４は、ピストンデバイスを有しているいくつかの実施形態に係る初期位置のコードセット負荷プロテクタ設計の正面の図面である。
【図３５】図３５は、偏る位置の図３４に係るコードセット負荷プロテクタ設計の正面の図面である。
【図３６】図３６は、ピストンデバイス、および、オリフィスチャネルを有しているいくつかの実施形態に係る初期位置のコードセット負荷プロテクタ設計の正面の図面である。
【図３７】図３７は、偏る位置の図３６に係るコードセット負荷プロテクタ設計の正面の図面である。
【図３８】図３８は、スプリングレバーを有しているいくつかの実施形態に係る初期位置のコードセット負荷プロテクタ設計の正面の図面である。
【図３９】図３９は、偏る位置の図３８に係るコードセット負荷プロテクタ設計の正面の図面である。
【図４０】図４０は、スプリングレバー、および、追加のスプリングを有しているいくつかの実施形態に係る初期位置のコードセット負荷プロテクタ設計の正面の図面である。
【図４１】図４１は、偏る位置の図４０に係るコードセット負荷プロテクタ設計の正面の図面である。
【図４２】図４２は、スプリングレバー、および、ねじりスプリング（torsion spring）を有しているいくつかの実施形態に係る初期位置のコードセット負荷プロテクタ設計の正面の図面である。
【図４３】図４３は、偏る位置の図４２に係るコードセット負荷プロテクタ設計の正面の図面である。
【図４４】図４４は、スプリングレバー、および、コードクランプを有しているいくつかの実施形態に係るコードセット負荷プロテクタ設計の斜視図である。
【図４５】図４５は、スプリングレバーの斜視図である。
【図４６】図４６は、コードクランプの斜視図である。
【図４７】図４７は、スプリング部材を有しているいくつかの実施形態に係る初期位置のコードセット負荷プロテクタ設計の正面の図面である。
【図４８】図４８は、偏る位置の図４７に係るコードセット負荷プロテクタ設計の正面の図面である。
【図４９】図４９は、バイアス媒体（biasing media）を有しているいくつかの実施形態に係る初期位置のコードセット負荷プロテクタ設計の正面の図面である。
【図５０】図５０は、偏る位置の図４９に係るコードセット負荷プロテクタ設計の正面の図面である。
【図５１】図５１は、コイルスプリングを有しているいくつかの実施形態に係る初期位置のコードセット負荷プロテクタ設計の正面の図面である。
【図５２】図５２は、偏る位置の図５１に係るコードセット負荷プロテクタ設計の正面の図面である。
【図５３】図５３は、スプリングレバーを有しているいくつかの実施形態に係る初期位置のコードセット負荷プロテクタ設計の正面の図面である。
【図５４】図５４は、偏る位置の図５３に係るコードセット負荷プロテクタ設計の正面の図面である。
【図５５】図５５は、ブレーカウェイコネクタ（breakaway connection）を有しているいくつかの実施形態に係る初期位置のコードセット負荷プロテクタ設計の正面の図面である。
【図５６】図５６は、偏る位置の図５５に係るコードセット負荷プロテクタ設計の正面の図面である。
【図５７】図５７は、カムフォロワ（cam follower）を有しているいくつかの実施形態に係るコードセット負荷プロテクタ設計の斜視図である。
【図５８】図５８は、初期位置の図５７に係るコードセット負荷プロテクタ設計の正面の図面である。
【図５９】図５９は、偏る位置の図５７に係るコードセット負荷プロテクタ設計の正面の図面である。
【図６０】図６０は、初期位置のカムフォロワを有しているいくつかの実施形態に係るコードセット負荷プロテクタ設計の斜視図である。
【図６１】図６１は、偏る位置の図６０のコードセット負荷プロテクタ設計の斜視図である。
【発明を実施するための形態】
【０００９】
以下の記載は、単に性質において例示的なものであり、および、本開示、応用または使用を限定することを予定にされるものではない。
【００１０】
図１および２に関して、例示的なパワーツール１０は、電気的なパワーツール１０へのコード１１２の接続に影響を与えることからパワーコード１１２に負う強い力を妨げるためにコードセット負荷プロテクタデバイス１１４を有して示される。図１において示されるように、パワーツール１０はツールの後方端部から延びているコード１１２およびコードプロテクタ１１４を含む。コードプロテクタ１１４は、パワーツールハウジング１１８において提供される凹所１１６の中で取り付けられる。凹所１１６は、断面において、四角く、または、湾曲していることがありえて、および、エラストメリックコードプロテクタ１１４の半径方向に延びているフランジ部分１２０を受けるために、中にキャビティ（空洞）を規定する。半径方向の延びているフランジ部分１２０は、肩部部分１２２に対して配置されている。圧着デバイス１２４は、パワーコード１１２上に締めつけられるかまたは圧着されて、および、ハウジング１１８のチャンバ１１６内部でコードプロテクタ１１４の末端部分に対して配置されている半径方向に延びているフランジ部分１２６を含む。フランジ部分１２６は、ハウジング１１８内に提供されるキャビティ１１６の半径方向内側に延びている肩部１２８に対して配置されている。
【００１１】
圧着デバイス１２４は、より詳細にここで記載されている方法にて、パワーコード１１２に軸方向に、および、回転可能に固定されるように、パワーコードを係合する。追加のケーブル長さ１１２ａが圧着デバイス１２４とコードクランプ１３０との間でハウジング内に提供される方法で、パワーコード１１２は、また、パワーツール１０の中で提供されるコードクランプ１３０によってツールハウジングに締めつけられる。コードクランプ１３０は、固定具１３２によって、または、他の周知の固定方法、例えば鋲、溶接、グロメットなどによって、ハウジングに取り付けられることができる。コードクランプ１３０は、数インチに至るまで凹所１１６から間隔を置いて配置されることができる。凹所１１６から更に内側でコードクランプ１３０を位置づけることは、撓曲しているコード応力、および、クランプのためのコード上の応力からのコード応力を、通常、同じ位置である両者に代わって２つの異なる位置に配置することによって、コード屈曲耐久性を改良する。これは、導線の屈曲寿命を改良する。
【００１２】
大きい力Ｆがパワーコード１１２に加えられるときに、図３において示されるように、パワーコード１１２は力Ｆの軸方向において引っ張られる。圧着デバイス１２４のフランジ部分１２６がコードプロテクタ１１４のフランジ部分１２０を圧縮するように、ハウジング１１８に対するパワーコード１１２の動きによって肩部部分１２８に対して軸方向に圧着デバイス１２４を動かす。それによって、コード１１２に及ぼされる力を吸収する。コードクランプ１３０に対する圧着デバイスの軸方向の動きは、コードクランプ１３０に力を及ぼさずに、その間で提供されるいくらかの追加のケーブル長さ１１２ａを取る。
【００１３】
圧着デバイス１２４は、多くの形状を取ることができる。例えば、図４および６にて示されるように、圧着デバイス１２４は、第1のクランプハーフ１３６、および、第２のクランプハーフ１３８を含むことができる。各クランプハーフ１３６、１３８は、パワーコード１１２の外面に対して、係合し、および、固定するように設計された複数の半径方向内向きに延びているリブ１４２を各々提供されている半円筒状の本体部分１４０によって提供される。第1のクランプハーフ１３６は、第２のクランプハーフ１３８に提供される複数の対応するロッキングフィンガー１４６を、各々受けるのに適している複数のアパチャー１４４を提供される。第１および第２のクランプハーフ１３６、１３８の各々は、圧着デバイス１２４の半径方向に延びているフランジ部分１２６を規定する半径方向のフランジ部分１２６ａ、１２６ｂをそれぞれ含む。ロッキングフィンガー１４６は、クランプデバイス１２４に対するパワーコード１１２の軸方向又は回転方向の動きを妨げるように、第２のクランプハーフ１３８を、パワーコード１１２にクランピング係合にある第1のクランプハーフ１３６に固定する。本開示の原理に係る、他のクランプまたは圧着の配置がコードセット負荷プロテクタ１１０によって利用されることができることを理解されるべきである。
【００１４】
図７に関して、代わりのコードセット負荷プロテクタ１１０’は、ねじられ、またはハンドルセットに押し込まれることからアセンブリを妨げるためにハンドル部分３００内の凹所３０２にて受けられる分割されたクランプデバイス１２４’を含んでいることを示す。分割されたクランプ１２４’は、ハンドルセット３００から独立しており、完全なコードセット１１２および充填剤ストランド（filler strands）の二次ラップをトラップする。コードプロテクタ１１４’は、ねじれを妨げる取付け端部にて付加された材料を含んでおり、および、衝撃を吸収するためにスプリングを形成する。
【００１５】
いくつかの実施形態において、図８〜１０において示されるように、コードセット負荷プロテクタ１１０は、複数のバイアス部材、例えばリブ、ポストおよび／またはスプリングを具備することができ、それは、少なくとも一部に、衝撃を吸収する機能を提供するようにハウジング内で延びている。特に、ハウジング１１８は、ハウジング１１８から内側に延びている２つ以上のバイアス部材４０２を具備することができる（示されているように、例えば、３つのバイアス部材４０２）。バイアス部材４０２の各々の長手軸は、バイアス部材４０２の偏向前は、パワーコード１１２に対して直交でありえる。バイアス部材４０２は、ハウジング１１８を介してパワーコード１１２の蛇行するルート設定を提供するように配置されることができる。しかし、その他のルート設定構成が本教示の範囲内で使用されることができることを理解されるべきである。とりわけ、図９において示されるように、各々が軸ＰＣに対して横方向にオフセットされるように、バイアス部材４０２は、配置されることができる。このオフセットの正確な量は、コードセット負荷プロテクタ１１０における要求に応じて、パワーコード１１２の特徴、および、バイアス部材４０２の物理的な特性に基づいて決定されることができる。
【００１６】
負荷（すなわちバイアスの形態）の下であるときに、バイアス部材／スプリングレバー４０２は、形態、材料を含むことができ、また、対応するレスポンスを調整することに向けられる他の製造法を使用することができることが理解されるべきである。例えば、実施例において、バイアス部材／スプリングレバー４０２は、非円筒状で、例えばテーパーが付けられ、刻み目をつけられ、プレーナーで、および／または、不均一性を有する断面形状を有しているモールドされたか、または、形成された部材を具備することができる。負荷が掛けられたときに、軽負荷下で初期の偏向を、そして、より重い負荷の下で次第により少ない偏向を可能にするように、この断面形状は、非線形に対応したレスポンスを提供することができる。
【００１７】
さらにまた、図８〜１０を引き続き参照し、いくつかの実施形態おいて、コードセット負荷プロテクタ１１０のバイアス部材４０２は、所定のコンプライアンシーを提供するように、寸法を決められ、および、材料を決められることができる。例えば、バイアス部材４０２は、弾性変形を有効にするために、十分な直径を有することができる。同様に、バイアス部材４０２は、このような弾性変形を有効にする材料から作られることができる。なお更に、サイズ、および、材料の組合せは、このような弾性変形を達成するために提供されることができる。加えて、バイアス部材４０２は、ハウジング１１８と同様の材料を有し、または、異なっている材料を有して、ハウジング１１８と一体的に形成されていることがありえる。
【００１８】
使用の間、もし十分な力がパワーコード１１２に加えられるならば、蛇行する形状の度合いが縮小されるように（図９（偏られていない）および図１０（偏る）の進行の工程を参照）、対応された力は、方向においてバイアス部材４０２を偏らせるためにバイアス部材４０２に対して伝えられる。この偏向は、軸ＰＣに沿って力の吸収を提供する。
【００１９】
図２３〜２６に関して、バイアス部材４０２が、パワーコード１１２を蛇行する構成に偏らせるようにバイアス力を提供するために操作可能な状態でパワーコード１１２に係合しているスプリング部材を具備することができることを理解するべきである。このような実施形態において、バイアス部材４０２は、スプリング部材を具備し、それは、ハウジング１１８または他のリテーニング構造４０８の一端、および、回転可能なプーリ４０４（図２５および２６）または係合部材４０６（図２３および２４）の他端に組み合わせられることができる。回転可能なプーリ４０４は、バイアス部材４０２に対するパワーコード１１２の拘束力のない移送を容易にするために用いることができる。パワーコード１１２のこのような移送が最小のとき、係合部材４０６が用いられることができる。バイアス部材４０２は、スプリング部材を具備し、それは、所望のバイアス形状を増強するかまたは調整するために、互いに対してスプリング率を変化させることを含むことができる。
【００２０】
いくつかの実施形態において、図１１〜１５において示されるように、バイアス部材４０２は、ハウジング１１８の対向する側面から内側に延びているリブでありえて、および、その動きに伴い、パワーコード１１２に固定的に組み合わせられる係合プレート４１０を係合するように構成されることができる。とりわけ、係合プレート４１０は、パワーコード１１２をそこを介して受けるために寸法決めされたアパチャー４１２を有している円形ディスクを具備することができる。係合プレート４１０は、当接部クランプ４１４を介してパワーコード１１２に対して適所に保持されることができる。いくつかの実施形態において、当接部クランプ４１４は、Ｕ型の主部材４１６、裏面リテーニングプレート４１８、および、その動きに伴い、パワーコード１１２の周囲の裏面リテーニングプレート４１８およびＵ型の主部材４１６をクランプして組み合わせる複数の固定具４２０を含むことができる。当接部クランプ４１４がそれに取り付けられるときに、Ｕ型の主部材４１６がパワーコード１１２に締りばめ（interference fit）を規定するように寸法決めされることができることが理解されるべきである。代わりの当接部クランプまたはリテーニング部材が用いられることができることは、理解されるべきでもある。係合プレート４１０および当接部クランプ４１４が、単一の、一体の部材から形成されることができ、および、バイアス部材４０２と適切に係合可能であるとわかる形状の種類を有することができることは、理解されるべきでもある。
【００２１】
［００８１］
なお図１１〜１５を参照し、バイアス部材４０２がパワーコード１１２に対して通常、直交平面を有しているリブのシリーズとして形成されることができることが分かる。バランスコード保護力を加えるために、バイアス部材４０２は、パワーコード１１２の対向面で、または、パワーコード１１２の周りに配置されることができる。ここで記載されているように、コードセット負荷プロテクタ１１０のバイアス部材４０２は、所定のコンプライアンシを提供するように、寸法決めされ、および、材料（または複数の材料）から作られることができる。例えば、バイアス部材４０２は、一定の厚さ、その長さに沿って変化する厚さ、他のバイアス部材に対して変化する厚さを有することができ、コンプライアント材料または所定のバイアス形状に沿って弾性変形を可能にするこれらの特性の組合せから作られる。加えて、バイアス部材４０２の第１が偏り、そして、合成するバイアス力を提供するために、バイアス部材４０２の第２（および、その他）を係合するように、バイアス部材４０２は、相互に配置されることができる。
【００２２】
使用の間、もし十分な力がパワーコード１１２に加えられるならば、パワーコード１１２は移送して、このことにより、係合プレート４１０および当接部クランプ４１４は図の左側に同様に移送される。この移送によって、係合プレート４１０が、連続してバイアス部材４０２のシリーズに係合し、および、それで、対応された力は、バイアス部材４０２を偏らせるようにバイアス部材４０２に対して伝えられる。この偏向は、軸ＰＣに沿って力の吸収を提供する。
【００２３】
いくつかの実施形態において、図１４および１５にて示されるように、当接部クランプ４１４は、その動きに伴い、パワーコード１１２に組み合わせられる長形部材を具備することができる。この実施形態において、当接部クランプ４１４は、中でバイアス部材４０２のそれぞれの端部を受けるように寸法決めされる周囲のスロット４２２のシリーズを具備することができる。このようにして、複数のバイアス部材４０２の各々は、同時に、軸ＰＣに沿ってパワーコード１０２の初期の動きに作動または偏らせることができる。それによって、一般に線形のバイアスレスポンスを提供する。図１５に図示するように、当接部クランプ４１４は、バイアス部材４０２に対してバイアスを提供するように、フレキシブルまたはエラストメリック材料から作られることができる。
【００２４】
いくつかの実施形態において、図１６〜１８にて示されるように、バイアス部材４０２は、ハウジング１１８の対向面から内側に延びているリブでありえて、および、パワーコード１１２に形成されるループの中心部分の中に配置されることができる。すなわち、バイアス部材４０２は、パワーコード１１２を通過することができる２つ以上のリブとして形成されることができる。バイアス部材４０２は、パワーコード１１２の所定のループ半径に、密接して適合される弧状形状を有することができる。ループ半径があまりにパワーコード１１２の重圧とならないように選択されるべきであることが理解されるべきである。
【００２５】
使用の間、もし十分な力がパワーコード１１２に加えられるならば、パワーコード１１２は移送され、このことにより、バイアス部材４０２上の内側に向けられた圧縮力を及ぼし、バイアス部材４０２に第１の位置（図１７）から第２の位置（図１８）へと偏らせる。この偏向は、軸ＰＣに沿って力の吸収を提供する。
【００２６】
ここで、図１９〜２２を参照し、いくつかの実施形態において、バイアス部材４０２は、ハウジング１１８と別で形成される部材を具備することができる。例えばスプリングスチールリング（図１９および２０）、エラストメリックまたは圧縮可能な部材（図２１および２２）、中空の溶封部材または他のエネルギを吸収する部材である。このような実施形態において、バイアス部材４０２は、ハウジング１１８の内側角部に配置されることができる。それによって、力がパワーコード１１２に加えられるときに、このような力がバイアス部材４０２に移送され、それによって、ハウジング１１８の側壁に対してバイアス部材４０２を圧縮する。いくつかの実施形態において、ハウジング１１８は、バイアス部材４０２を中で受け、および、予定された位置にバイアス部材４０２を保持する外形（contour）４２０を具備することができる。バイアス部材４０２は、十分な弾性／コンプライアント特性、例えばスプリングスチール、エラストマーなどを提供するいかなる材料から作られることができることが理解されるべきである。
【００２７】
ここで、図２７および２８に戻って、いくつかの実施形態において、バイアス部材４０２は、板ばね４３０を具備することができる。板ばね４３０は、パワーコード１１２に弾性的に偏らせて、バイアス力を提供するために十分な材料から作られている一般に円弧状部材を含むことができる。いくつかの実施形態において、板ばね４３０は、リテーニング部材４３４によって対向する端部４３２で保持される。リテーニング部材４３４は、ハウジング１１８に固定的に組み合わせられることができる。いくつかの実施形態で、リテーニング部材４３４は、それに対して板ばね４３０の自由な摺動可能な動きを可能にするように、寸法決めされる（図２８を参照）ことが理解されるべきである。
【００２８】
使用の間、もし十分な力がパワーコード１１２に加えられるならば、パワーコード１１２は、まっすぐになり、これによって、バイアス部材４０２上の上方へ向けられた力を及ぼすことは、板ばね４３０に、第１の位置（図２７）から第２の位置（図２８）まで偏らせる。この偏向は、軸ＰＣに沿って力の吸収を提供する。
【００２９】
ここで、図２９〜３１に戻って、いくつかの実施形態例において、バイアス部材４０２は、ねじりスプリング部材４３６を具備することができる。いくつかの実施形態において、ねじりスプリング部材４３６は、リテーニング部材４４４によって端部４３８に保持されるねじりスプリング４３７を含む。リテーニング部材４４０は、ハウジング１１８に固定的に組み合わせられることができる。ねじりスプリング部材４３６は、パワーコード１１２を受けて、および、保持するために、中に形成されるスロット部分４４２を具備することができる。
【００３０】
使用の間、もし十分な力がパワーコード１１２に加えられるならば、パワーコード１１２は、まっすぐになり、このことによって、バイアス部材４０２上のねじれ力を及ぼすことは、ねじりスプリング部材４３６に、第１の位置（図２９）から第２の位置（図３０）まで、ねじりスプリング４３７のバイアス力に対して図の逆時計回りに回転させる。この偏向は、軸ＰＣに沿って力の吸収を提供する。
【００３１】
図３２および３３に関して、いくつかの実施形態において、バイアス部材４０２は、バイアスされたつなぎ綱システム４５０を具備することができる。バイアスされたつなぎ綱システム４５０は、つなぎ綱４５４を保持しているバイアスリール（biasing reel）４５２を具備することができる。つなぎ綱４５４は、パワーコード１１２に固定的に組み合わせられるカップラ部材４５６を具備することができる。その少なくとも一部がハウジング１１８の外側に延びるように、バイアスされたつなぎ綱システムは配置されることができる。このような実施形態において、アパチャー４５８は、それを介して通過するつなぎ綱４５４を可能にするように、ハウジング１１８に形成される。
【００３２】
バイアスリール４５２は、パワーコード１１２上に引き込む力を提供するためにバイアスされるスプリングでありえる。この点に関して、使用の間、もし十分な力がパワーコード１１２に加えられるならば、パワーコード１１２は、まっすぐになり、このことによって、つなぎ綱４５４に力を及ぼすことは、バイアスリール４５２に伝えられる。このような力は、バイアスリール４５２に、第１の位置（図３２）から第２の位置（図３３）までそのバイアス力に対して図において時計回りに回転させる。この偏向は、軸ＰＣに沿って力の吸収を提供する。
【００３３】
ここで、図３４および３５を参照し、いくつかの実施形態において、バイアス部材４０２は、少なくとも一部は、衝撃を吸収する機能を提供するために、ピストンデバイス５１０を具備することができる。特には、いくつかの実施形態で、ピストンデバイス５１０は、ハウジング１１８の中に配置されることができ、または、いくつかの実施形態において、ハウジング１１８の外側に形成されることができる。図３４および３５に特に関連して、ピストンデバイス５１０は、ピストンチャンバ５１４の中で摺動可能に配置されるピストン部材５１２を具備することができる。ピストン部材５１２は、圧縮可能な圧力ボリューム５１６を作成するように、ピストン部材５１２とピストンチャンバ５１４との間のシールを規定することができる。ピストン部材５１２は、コードクランプ１３０に固定的に組み合わせられるロッド５１８を具備することができる。そして、それは、順番に、それとともに動くパワーコード１１２に固定的に組み合わせられる。ピストンチャンバ５１４は、固定的にハウジング１１８に組み合わせられることができ、または、それとともに一体的に形成されることができる。いくつかの実施形態において、ピストンチャンバ５１４は、ハウジング１１８から分離するリテーナ構造（図示せず）によって保持されることができる。
【００３４】
使用の間、もし十分な力がパワーコード１１２に加えられるならば、パワーコード１１２は、移送され、このことによって、図の左側に、ピストンチャンバ５１４に対してピストン部材５１２を同様に移送する。この移送は、ピストン部材５１２に、圧力チャンバ５１６の中で流体、例えば空気、ガスまたは液体を圧縮させ、このことにより、対抗するバイアス力を作成している。圧力チャンバ５１６の中の流体のこの圧縮は、増加率にて軸ＰＣに沿って力の吸収を提供する。
【００３５】
ここで、図３６および３７に戻って、いくつかの実施形態において、ピストン部材５１２がピストンチャンバ５１４を摺動可能に係合するように、ピストンデバイス５１０は、ハウジング１１８の中に配置されることができる。ピストン部材５１２がそれとともにシールを形成し、および、圧縮可能な圧力ボリューム５１６を規定するためにハウジング１１８の内壁を摺動可能に係合するように、ピストンチャンバ５１４は、ハウジング１１８の部分として形成されることができる。ピストン部材５１２は、その動きに伴い、直接、固定的にパワーコード１１２に組み合わせられる。いくつかの実施形態において、ピストン部材５１２は、それを介して延びる１つ以上のオリフィスチャネル５３０を具備することができる。オリフィスチャネル５３０は、圧縮可能な圧力ボリューム５１６から雰囲気まで流体（すなわち空気）の調整された流れを提供することができる。換言すれば、オリフィスチャネル５３０は、流体排気の予め定めた速度に、所望のバイアス形状を生成することを可能にするように寸法決めされる。いくつかの実施形態において、オリフィスプレート５３２は、ハウジング１１８に配置されることができる。そして、ハウジング１１８において形成されるリテーニング形態５３４を係合し、そして、それは、圧縮可能な圧力ボリューム５１６を規定する。オリフィスプレート５３２は、圧縮可能な圧力ボリューム５１６へ、および、そこから、更に流体（すなわち空気）の調整された流れを増強して、および、調整するために、それを介して形成される１つ以上のオリフィスチャネル５３０を具備することができる。
【００３６】
使用の間、もし十分な力がパワーコード１１２に加えられるならば、パワーコード１１２は、移送される。このことによって、図の左側に、ピストンチャンバ５１４に対してピストン部材５１２を同様に移送する。この移送は、ピストン部材５１２に、圧力チャンバ５１６の中で流体、例えば空気、ガスまたは液体を圧縮させる。これによって、対抗するバイアス力を生成する。圧力チャンバ５１６の中の流体のこの圧縮は、増加率で軸ＰＣに沿って力の吸収を提供する。
【００３７】
いくつかの実施形態において、図３８〜４６において示されるように、コードセット負荷プロテクタ１１０は、スプリングレバーアセンブリ６００を具備することができる。いくつかの実施形態において、スプリングレバーアセンブリ６００は、スプリングレバー６０２と、スプリングレバー６０２およびパワーコード１１２に固定的に組み合わせられるコードクランプ１３０とを具備することができる。図３８〜４６において示されるように、スプリングレバー６０２は、ハウジング１１８から延びている１つ以上のリテーニング部材６０４を介してハウジング１１８に固定的に組み合わせられることができる。とりわけ、スプリングレバー６０２は、それを介してリテーニング部材６０６を受けるために寸法決めされる複数の対応する取付けアパチャー６０６（図４５を参照）を具備することができる。いくつかの実施形態において、例えば、所定の操作可能な位置（図４４を参照）に、スプリングレバー６０２を永久に保持するために、熱ステーキングまたは溶接（heat staking or welding）を介して、リテーニング部材６０４は、変形可能でありえる。リテーニング部材６０４は、その中心間に延びている平面を規定するために離れた間隔に置かれることができる。そこにおいて、平面は通常、パワーコード１１２の長手軸に直交である。加えて、リテーニング部材６０４は、スプリングレバー６０２の端部を受けて、および、保持する、ハウジング１１８に形成されるスリーブまたはスロットでありえる。
【００３８】
いくつかの実施形態において、コードセット負荷プロテクタ１１０は、スプリングレバー６０２に固定的に組み合わせられるコードクランプ６０８を具備することができる。いくつかの実施形態において、図３８〜４６において示されるように、コードクランプ６０８は、固定具６１２（図４４）を介して共に組み合わせられるのに適している一対のクランピング部材６１０を具備することができる。特には、各クランピング部材６１０は、通過する固定具６１２のシャンク部を可能にするために、拡大アパチャー６１４、および、固定具６１２を螺合して係合するねじ付きアパチャー６１６を具備することができる。各クランピング部材６１０は、スプリングレバー６０２の側面を取り込むために、中に形成されるスロット６１８、および、パワーコード１１２を取り込むための一般に円形部分６２０を具備することができる。このように、各クランピング部材６１０のスロット６１８がスプリングレバー６０２の側面を係合するように、コードクランプ６０８は、スプリングレバー６０２の端部に取り付けられることができる。同様に、パワーコード１１２は、クランピング部材６１０間にて延びることができる。固定具６１２を締めることによって、クランピング部材６１０は、スプリングレバー６０２およびパワーコード１１２の両方に、クランピングおよびリテーニング力を及ぼすように、共に引っ張られる。このように、コードクランプ６０８は、その動きに伴い、パワーコード１１２に、固定的に組み合わせられる。単一の製造ピースがスプリングレバー６０２の対向面に使われることができるように、クランピング部材６１０が構成されることが理解されるべきである。
【００３９】
図４５に関して、スプリングレバー６０２は、それを介してパワーコード１１２を受けるスロット付き端部６２２を具備することができる。
【００４０】
使用の間、もし十分な力がパワーコード１１２に加えられるならば、対応された力は、緩和位置（図３８、４０、４２および４４）と偏る位置（図３９、４１および４３）との間でスプリングレバー６０２を偏らせるために、コードクランプ６０８を介して、および、スプリングレバー６０２に対して伝えられる。この偏向は、軸ＰＣに沿って力の吸収を提供する。スプリングレバー６０２のバイアス力は、部分的に、スプリングレバー６０２のサイズおよび長さ、並びに、その材料に基づいて決定されることができる。しかしながら、いくつかの実施形態において、付加的なバイアス力は、要求されることができることを理解されるべきである。そのような場合、追加のスプリング部材６３０（図４０および４１）が、コードクランプ６０８とハウジング１１８との間に配置されて用いられることができる。追加のスプリング６３０は、線形であるかプログレッシブなスプリング率（spring rates）を有する圧縮スプリングでありえる。加えて、追加のスプリング部材６３０は、コイルスプリング、ねじりスプリング、エラストマー性部材等を含む。スプリング部材６３０は、パワーコード１１２にスプリング部材６３０のアラインメントを維持するように、パワーコード１１２と同軸に配置されることができる。スプリング部材６３０は、例えば図４７および４８において示されるように、スプリングレバー６０２と別で用いられることができることが理解されるべきである。
【００４１】
いくつかの実施形態において、図４２および４３において示されるように、スプリングレバー６０２は緩和位置（図４２）と偏る位置（図４３）との間で回動されるために、軸６５０を中心に枢着されることができる。この実施形態において、負荷が掛かっているときに、ねじりスプリング６５２は、パワーコード１１２に対抗するバイアス力を加えるために使われることができる。
【００４２】
いくつかの実施形態において、ベルマウス（bellmouth）６３４は、ハウジング１１８を出ているパワーコード１１２の偏向を限定するために用いることができる。ベルマウス６３４は、一般に線形の本体部分６３６、および、曲がった形状を有する曲がった出口６３８を具備することができる。パワーコード１１２が負荷の下にあるときに、それがコードクランプ６０８と共に動くように、ベルマウス６３４は、その動きに伴い、コードクランプ６０８に固定的に組み合わせられることができる。
【００４３】
ここで、図４９〜５２を参照し、いくつかの実施形態において、バイアスシステム７１０は、摺動可能にハウジング１１８に配置されるプランジヤ部材７１２を具備することができる。いくつかの実施形態において、プランジヤ部材７１２は、摺動可能に、ハウジング１１８内に配置されるか、または、ハウジング１１８の部分として形成されるプランジャチャンバ７１３内に配置されることができる。プランジャチャンバ１２０がハウジング１１８と一体に形成されることがありえて、および、それで単にハウジング１１８の部分だけであり、または、ハウジング１１８内で位置決め可能なサブアセンブリを形成するようにハウジング１１８から離れて形成されることができることが理解されるべきである。
【００４４】
プランジヤ部材７１２は、カップリング部材７１４を使用して、その動きに伴い、パワーコード１１２に固定的に組み合わせられる。カップリング部材７１４は、その動きに伴い、パワーコード１１２にプランジヤ部材７１２を接続することを可能にするいかなる形状にも形成されることができる。いくつかの実施形態において、カップリング部材７１４は、クランプ力をパワーコード１１２に加えるために固定具を介して共にねじで接続される対向面を有しているクランピングブラケットを具備することができる。要求されるように、圧縮可能なボリューム７１６は、それで、プランジャチャンバ７１３、プランジヤ部材７１２、およびハウジング１１８の他のいかなる部分によっても規定される。
【００４５】
いくつかの実施形態において、図４９および５０において示されるように、圧縮可能なボリューム７１６は、中で配置されるバイアス媒体７１８を具備することができる。バイアス媒体７１８は、ボール、ビード、ペブル（pebbles）、または、さまざまなランダム形状として形成される複数のエラストマー性部材を含むことができる。このバイアス媒体は、プランジヤ部材７１２の動きに応答して、パイルされ(piled)、スタックされ（stacked）、または、グループ化（grouped）されるように、圧縮可能なボリューム７１６内に、自由に、置かれることができる。すなわち、バイアス媒体７１８は、流れるか、または、最初圧縮可能なボリューム７１６内で動かすことが自由でありえて、および、さらに一方、偏る位置において抑制されうる。
【００４６】
使用の間、もし十分な力がパワーコード１１２に加えられるならば、パワーコード１１２は、移送され、このことによって、図の左側に、プランジャチャンバ７１３に対してプランジヤ部材７１２を同様に移送する。この移送は、プランジヤ部材７１２に、プランジャチャンバ７１３の壁に対してバイアス媒体７１８を圧縮させる。このことによって、プランジャチャンバ７１３の壁に対して圧縮されているバイアス媒体７１８の対抗しているバイアス力は、軸ＰＣに沿ったパワーコード１１２の動きに対して、対抗しているバイアス力を作成する。この対抗しているバイアス力のスプリング率は、使用される材料、媒体サイズ、媒体量などの選択を含むバイアス媒体の選択を介して、所定のバイアス形状に調整されることができる。異なる媒体の混合は、使われることができることを理解されるべきである。
【００４７】
いくつかの実施形態において、図５１および５２において示されるように、スプリングコイル部材７２０は、プランジヤ部材７１２に対抗しているバイアス力を提供するためにハウジング１１８とプランジヤ部材７１２との間に組み合わせられることができる。いくつかの実施形態において、スプリングコイル部材７２０は、ハウジング１１８に固定的に組み合わせられる第1の端部７２２、および、プランジヤ部材７１２に固定的に組み合わせられる反対側の第２の端部７２４を有しているスプリングコイルを具備する。スプリングコイル部材７２０は、プランジヤ部材７１２の面７２６に組み合わせられるように、プランジヤ部材７１２およびカップリング部材７１４の部分を介して延びることができる。しかしながら、スプリングコイル部材７２０がプランジヤ部材７１２またはカップリング部材７１４の裏面７２８に固定的に組み合わせられることができることが理解されるべきである。
【００４８】
使用の間、もし十分な力がパワーコード１１２に加えられるならば、パワーコード１１２は、移送され、このことによって、図の左側に、プランジャチャンバ７１３に対してプランジヤ部材７１２を同様に移送する。この移送は、プランジヤ部材７１２に、スプリングコイル部材７２０の第２の端部７２４を引っ張らせる。それによって、軸ＰＣに沿ったパワーコード１１２の動きに対して対抗するバイアス力を作成しているスプリングコイル部材７２０をまっすぐにする。この対抗しているバイアス力のスプリング率は、材料の選択、および、スプリングコイル部材７２０のスプリング特性を介して所定のバイアス形状に調整されることができる。
【００４９】
いくつかの実施形態において、図５３および５４において示されるように、スプリングカムレバー７２６は、ハウジング１１８に組み合わせられることができる。スプリングカムレバー７２６は、上に向けた端部７２８を有している一般にプレーナーレバーでありえる。スプリングカムレバー７２６のリテーニング端部７３０は、ハウジング１１８から延びているリテーニング形態７３２を介して、ハウジング１１８に固定的に組み合わせられることができる。リテーニング形態７３２は、締りばめまたは他の接続を介して中でリテーニング端部７３０を保持するために、モールド形態（molded-in feature）、例えばスリーブを含むことができる。プランジヤ部材７１２は、その側面から延びている持ち上げられたカム形態７３４を具備することができて、および、ガイドスロット７３６に摺動可能に配置されることができる。持ち上げられたカム形態７３４は、パワーコード１１２およびプランジヤ部材７１２の動きに応答して、スプリングカムレバー７２６に係合し、および、次第に偏らせるように構成されることができる。
【００５０】
使用の間、もし十分な力がパワーコード１１２に加えられるならば、パワーコード１１２は、移送され、このことによって、図の左側に、ガイドスロット７３６に対してプランジヤ部材７１２を同様に移送する。この移送は、持ち上げられたカム形態７３４に、端部７３０を保持する方へ上に向けた端部７２８からスプリングカムレバー７２６に沿って移送させる。スプリングカムレバー７２６に対する持ち上げられたカム形態７３４のすぐ近くの位置の結果として、スプリングカムレバー７２６は、初期位置から偏る位置まで次第に曲がりを生じる。そして、このことにより、軸ＰＣに沿ってパワーコード１１２の動きに対して対抗しているバイアス力を作成する。この対抗しているバイアス力のスプリング率は、材料の選択、および、スプリングカムレバー７２６のスプリング特性を介して所定のバイアス形状に調整されることができる。
【００５１】
いくつかの実施形態において、図５５および５６において示されるように、コードセット負荷プロテクタ１１０は、ブレーカウェイコネクタ８００を具備することができる。ブレーカウェイコネクタ８００は、第1のコードハーフ８０２および第２のコードハーフ８０４を具備することができ、それは、第1のコードハーフ８０２および／または第２のコードハーフ８０４から延びているオス端部コネクタ８０６と、第1のコードハーフ８０２および／または第２のコードハーフ８０４に配置されたメス端部コネクタ８０８とを介して電気的に接続可能である。オス端部コネクタ８０６およびメス端部コネクタ８０８は、電気的な接続、および、機械的な接続を規定するために構成されることができる。そこにおいて、機械的な接続は、パワーコード１１２に沿って加えられる所定の負荷に応答して切断することが可能である。一旦、この所定の負荷が到達されると、機械的な接続は外され、それによって、電気的な接続を切られる。この所定の負荷（すなわちリテーニング力）は、パワーコード１１２にダメージが生じる可能性がある周知の負荷未満であるように選ばれることができる。つなぎ綱部材８１０は、第1のコードハーフ８０２および第２のコードハーフ８０４を接続するために使用されることができる。それによって、一旦所定の負荷が到達され、機械的な接続が分離されるならば、つなぎ綱部材８１０が第1のコードハーフ８０２および第２のコードハーフ８０４を、再接続のために、近くで保持することができる。つなぎ綱部材８１０は、第一のコードハーフ８０２および第２のコードハーフ８０４を固定具を介して組み合わせられるストラップ部材でありえる。つなぎ綱部材８１０は、第1のコードハーフ８０２と、第２のコードハーフ８０４との間の機械的な接続より大きな負荷を支える能力を提供するように構成されることができる。
【００５２】
ここで、図５７〜６１を参照し、いくつかの実施形態において、コードセット負荷プロテクタ１１０は、バイアスされたカムアッセンブリ９００を具備することができる。特には、いくつかの実施形態で、バイアスされたカムアッセンブリ９００は、ハウジング１１８の中で配置されることができるか、または、いくつかの実施形態において、ハウジング１１８の外側に形成されることができる。特に図１６を参照し、バイアスされたカムアッセンブリ９００は、カムフォロワーブラケット９１０、コードクランプブラケット９１２、および、バイアス部材９１４を具備することができる。いくつかの実施形態において、カムフォロワーブラケットは、１つ以上のカムスロット９１８を有している本体部分９１６を具備する。そしてカムスロット９１８は、それを介して延びるカムフォロワ９２０（すなわち固定具）を受けるように各々寸法決めされる。カムフォロワ９２０、および、カムスロット９１８は、非拘束で、カムの動きを提供するように、互いに密接に適合させるように寸法決めされる。カムフォロワ９２０は、ハウジング１１８または他の同等の支持構造物から延びている取付け構造９２２の中でねじで受けられるように構成される。
【００５３】
いくつかの実施形態において、コードクランプブラケット９１２は、カムフォロワーブラケット９１０上に形成される対応する第２のパワーコード保持スロット９２６を補うように、および、その間で（図５８〜６１）クランプしてパワーコード１１２を係合し、保持するように寸法決めされる第1のパワーコード保持スロット９２４を含むように形づくられるブラケット本体を具備することができる。このようにして、カムフォロワーブラケット９１０は、パワーコード１１２と共同して動かすことができる。
【００５４】
いくつかの実施形態において、コードクランプブラケット９１２は、カムフォロワーブラケット９１０に形成される対応するねじ付きアパチャー９３２を介して通過する固定具９３０のシャンク部を可能にする一対の拡大アパチャー９２８を具備することができる。固定具９３０の締めによって、コードクランプブラケット９１２は、パワーコード１１２上のクランピングおよび保持力を及ぼすように、カムフォロワーブラケット９１０の方へ引っ張られる。このように、コードクランプブラケット９１２は、その動きに伴い、パワーコード１１２に、固定的に組み合わせられる。
【００５５】
引き続き、図５７〜５９を参照し、バイアス部材９１４は、図の左側へのカムフォロワーブラケット９１０の動きがバイアス部材９１４に圧縮力を及ぼすように、カムフォロワーブラケット９１０とハウジング１１８との間の位置に配置されることができる。特には、いくつかの実施形態で、バイアス部材９１４の端部がハウジング１１８の側壁、または、とりわけ、取付け構造９２２の側壁に係合するように、バイアス部材９１４は配置されることができる。バイアス部材９１４の反対の端部は、スプリング壁９３４に係合するように配置されることができる。
【００５６】
バイアスされたカムアッセンブリ９００のバリエーションは存在することができ、例えば、端部がハウジング１１８の側壁に係合し、そして、その反対の端部がコードクランプブラケット９１２の少なくとも一部に係合するように、バイアス部材９１４が配置されることができることが理解されるべきである。このように、バイアス部材９１４は、パワーコード１１２に対して同軸の関係に配置されることができる。
【００５７】
使用の間、もし十分な力がパワーコード１１２に加えられるならば、パワーコード１１２は、移送され、このことによって、図の左側に、カムフォロワーブラケット９１０を同様に移送する。カムフォロワ９２０は、滑らかな、非拘束偏向を提供するために、カムスロット９１８の中にスライドする。この移送は、バイアス部材９１４に、圧縮を起こさせ、このことにより、対向するバイアス力を作成する。バイアス部材９１４のこの圧縮は、軸ＰＣに沿って力の吸収を提供する。
【００５８】
開示された実施形態の一つ以上が、同時に、バイアス形状および増加されたコード保護の改良された調整を提供するために使用することがありえることは、前述から理解されるべきである。
【図１】
2011527081.tif 000003
【図２】
2011527081.tif 000004
【図３】
2011527081.tif 000005
【図４】
2011527081.tif 000006
【図５】
2011527081.tif 000007
【図６】
2011527081.tif 000008
【図７】
2011527081.tif 000009
【図８】
2011527081.tif 000010
【図９】
2011527081.tif 000011
【図１０】
2011527081.tif 000012
【図１１】
2011527081.tif 000013
【図１２】
2011527081.tif 000014
【図１３】
2011527081.tif 000015
【図１４】
2011527081.tif 000016
【図１５】
2011527081.tif 000017
【図１６】
2011527081.tif 000018
【図１７】
2011527081.tif 000019
【図１８】
2011527081.tif 000020
【図１９】
2011527081.tif 000021
【図２０】
2011527081.tif 000022
【図２１】
2011527081.tif 000023
【図２２】
2011527081.tif 000024
【図２３】
2011527081.tif 000025
【図２４】
2011527081.tif 000026
【図２５】
2011527081.tif 000027
【図２６】
2011527081.tif 000028
【図２７】
2011527081.tif 000029
【図２８】
2011527081.tif 000030
【図２９】
2011527081.tif 000031
【図３０】
2011527081.tif 000032
【図３１】
2011527081.tif 000033
【図３２】
2011527081.tif 000034
【図３３】
2011527081.tif 000035
【図３４】
2011527081.tif 000036
【図３５】
2011527081.tif 000037
【図３６】
2011527081.tif 000038
【図３７】
2011527081.tif 000039
【図３８】
2011527081.tif 000040
【図３９】
2011527081.tif 000041
【図４０】
2011527081.tif 000042
【図４１】
2011527081.tif 000043
【図４２】
2011527081.tif 000044
【図４３】
2011527081.tif 000045
【図４４】
2011527081.tif 000046
【図４５】
2011527081.tif 000047
【図４６】
2011527081.tif 000048
【図４７】
2011527081.tif 000049
【図４８】
2011527081.tif 000050
【図４９】
2011527081.tif 000051
【図５０】
2011527081.tif 000052
【図５１】
2011527081.tif 000053
【図５２】
2011527081.tif 000054
【図５３】
2011527081.tif 000055
【図５４】
2011527081.tif 000056
【図５５】
2011527081.tif 000057
【図５６】
2011527081.tif 000058
【図５７】
2011527081.tif 000059
【図５８】
2011527081.tif 000060
【図５９】
2011527081.tif 000061
【図６０】
2011527081.tif 000062
【図６１】
2011527081.tif 000063
【国際調査報告】
2011527081.tif 000064
2011527081.tif 000065